【手続補正書】
【提出日】平成19年8月10日(2007.8.10)
【手続補正１】
【補正対象書類名】明細書
【補正対象項目名】特許請求の範囲
【補正方法】変更
【補正の内容】
【特許請求の範囲】
【請求項１】
少なくとも反射光学素子を含む光学系を、筐体の内側に光路を形成するよう保持して構成される光学ユニットであって、
前記反射光学素子を前記筐体に一体的に設けたことを特徴とする光学ユニット。
【請求項２】
前記筐体のうち内側に前記反射光学素子が設けられた部分を、前記反射光学素子の形状に沿った形状としたことを特徴とする請求項１に記載の光学ユニット。
【請求項３】
前記反射光学素子が曲面形状を有することを特徴とする請求項２に記載の光学ユニット。
【請求項４】
前記反射光学素子が、ダイクロイック膜又は偏光分離膜を有することを特徴とする請求項１から３のいずれか１つに記載の光学ユニット。
【請求項５】
前記筐体のうち前記反射光学素子が設けられた部分を、前記筐体における他の部分と別体構成としたことを特徴とする請求項１から４のいずれか１つに記載の光学ユニット。
【請求項６】
前記筐体のうち前記反射光学素子が設けられた部分を高分子材料により形成したことを特徴とする請求項５に記載の光学ユニット。
【請求項７】
前記高分子材料として、ポリカーボネイト又はポリカーボネイトを含む複合材料を用いたことを特徴とする請求項６に記載の光学ユニット。
【請求項８】
前記筐体のうち前記反射光学素子が設けられた部分を金属材料により形成したことを特徴とする請求項５に記載の光学ユニット。
【請求項９】
前記光学系が、光源からの照明光を画像表示素子に導く照明光学系であることを特徴とする請求項１から８のいずれか１つに記載の光学ユニット。
【請求項１０】
前記照明光学系が、光源からの光をＲＧＢの各色光に分解して、色光ごとに設けられた３つの画像表示素子に導くものであることを特徴とする請求項９に記載の光学ユニット。
【請求項１１】
前記反射光学素子が、前記各色光のうち他の色光よりも画像表示素子までの光路が長い色光を導くためのリレー系を構成することを特徴とする請求項１０に記載の光学ユニット。
【請求項１２】
前記画像表示素子に表示された画像を投写する投写光学系を有することを特徴とする請求項９から１１のいずれか１つに記載の光学ユニット。
【請求項１３】
少なくとも反射光学素子を含む光学系を、筐体の内側に光路を形成するよう保持して構成される光学ユニットであって、
前記反射光学素子の反射面とは反対側の表面を、前記筐体の外側に露出させたことを特徴とする光学ユニット。
【請求項１４】
前記反射光学素子の反射面とは反対側の表面を、前記反射面の形状に沿った形状としたことを特徴とする請求項１３に記載の光学ユニット。
【請求項１５】
前記反射面が曲面であることを特徴とする請求項１４に記載の光学ユニット。
【請求項１６】
前記反射面が、ダイクロイック膜又は偏光分離膜であることを特徴とする請求項１３から１５のいずれか１つに記載の光学ユニット。
【請求項１７】
前記筐体に開口部を形成し、前記反射光学素子を、前記筐体に前記開口部を塞ぐように固定したことを特徴とする請求項１３から１６のいずれか１つに記載の光学ユニット。
【請求項１８】
前記反射光学素子の反射面とは反対側の表面を、空冷可能に前記筐体の外側に露出させたことを特徴とする請求項１３から１７のいずれか１つに記載の光学ユニット。
【請求項１９】
前記反射光学素子は、高分子材料により形成された素子本体の内側表面に反射面を形成したものであることを特徴とする請求項１３から１８のいずれか１つに記載の光学ユニット。
【請求項２０】
前記高分子材料として、ポリカーボネイト又はポリカーボネイトを含む複合材料を用いたことを特徴とする請求項１９に記載の光学ユニット。
【請求項２１】
前記反射光学素子は、金属材料により形成された素子本体の内側表面に反射面を設けたものであることを特徴とする請求項１３から１８のいずれか１つに記載の光学ユニット。
【請求項２２】
前記光学系が、光源からの照明光を画像表示素子に導く照明光学系であることを特徴とする請求項１３から２１のいずれか１つに記載の光学ユニット。
【請求項２３】
前記照明光学系が、光源からの光をＲＧＢの各色光に分解して、色光ごとに設けられた３つの画像表示素子に導くものであることを特徴とする請求項２２に記載の光学ユニット。
【請求項２４】
前記反射光学素子が、前記各色光のうち他の色光よりも画像表示素子までの光路が長い色光を導くためのリレー系を構成することを特徴とする請求項２３に記載の光学ユニット。
【請求項２５】
前記画像表示素子に表示された画像を投写する投写光学系を有することを特徴とする請求項２２から２４のいずれか１つに記載の光学ユニット。
【請求項２６】
請求項１から２５のいずれか１つに記載の光学ユニットを備えたことを特徴とする画像表示装置。
【請求項２７】
請求項２６に記載の画像表示装置と、この画像表示装置に画像情報を供給する画像供給装置とを有することを特徴とする画像表示システム。
【手続補正２】
【補正対象書類名】明細書
【補正対象項目名】０００３
【補正方法】変更
【補正の内容】
【０００３】
照明光源１０３を射出した照明光は、ダイクロイックミラー１０４，１４０を含むミラー群１０４，１０５，１４０，１５０〜１５３によってＲＧＢの各色光に分解され、レンズ１０９を通じて液晶パネル１１０〜１１２に導かれる。そして、液晶パネル１１０〜１１２によって変調された各色画像光は、色合成プリズム１０２によって色合成され、投写レンズ１０６から不図示のスクリーン等に投写されてカラー画像を形成する。
【手続補正３】
【補正対象書類名】明細書
【補正対象項目名】０００６
【補正方法】変更
【補正の内容】
【０００６】
【発明が解決しようとする課題】
しかしながら、上記のように光学ユニットの筐体を一体的に箱状に形成し、この筐体の内部にすべての反射光学素子を収納保持する構成では、液晶パネルや色合成プリズム等を取り囲むように反射光学素子が配置されることが多く、反射光学素子を配置する体積を確保するために、筐体に光学系の大きさよりもひと回り大きい体積を持たせる（寸法公差の関係で筐体と反射光学素子との間に隙間を空けておく）必要がある。したがって、光学ユニットが大型化し、これを備えた画像表示装置も大型化するという問題がある。
【手続補正４】
【補正対象書類名】明細書
【補正対象項目名】００１２
【補正方法】変更
【補正の内容】
【００１２】
また、上記筐体の素子設置部分や反射光学素子の本体部分（素子本体）を高分子材料や金属材料を用いて形成することにより、これら部分の強度を増加させ、反射面の精度を良好にすることが可能になる。特に、高分子材料としてポリカーボネイトやポリカーボネイトを含む複合材料を用いることにより、強度と耐熱性の双方を確保することが可能となる。
【手続補正５】
【補正対象書類名】明細書
【補正対象項目名】００２０
【補正方法】変更
【補正の内容】
【００２０】
モールドリレーミラー８１は、不透明のポリカーボネイト樹脂により成形された母材部品（素子本体）の２つの凹面部分を鏡面加工し、これら凹面部分にダイクロイック膜を蒸着して作られている。これらダイクロイック膜は、赤波長域の光を反射するとともに、赤波長域より長波長側の光を透過させる。そして、ダイクロイック膜を透過した非赤成分光は、母材部品にて熱になる。
【手続補正６】
【補正対象書類名】明細書
【補正対象項目名】００２２
【補正方法】変更
【補正の内容】
【００２２】
９Ｇ，９Ｂは照明光（緑波長域の光および青波長域の光）を液晶パネル１０Ｇ，１０Ｂに集光するためのコンデンサーレンズである。なお、液晶パネル１０Ｒは赤色用の液晶パネル、液晶パネル１０Ｇは緑色用の液晶パネル、液晶パネル１０Ｂは青色用の液晶パネルである。
【手続補正７】
【補正対象書類名】明細書
【補正対象項目名】００２９
【補正方法】変更
【補正の内容】
【００２９】
但し、モールドリレーミラー８１に形成された位置決め穴に筐体１４に形成されたダボを嵌合させるようにして位置決めを行ってもよいし、モールドリレーミラー８１と筐体１４とを不図示の工具で保持して両者の位置合わせを行ってもよい。そして、モールドリレーミラー８１と筐体１４との位置決め後、ビス止め、ＵＶ硬化型，エポキシ系およびシアノボンドなどの接着、熱溶着、クリップバネ８５などの板バネあるいはピアノ線を用いバネ加圧固定といった固定方法を単独あるいは複数使用してモールドリレーミラー８１を筐体１４に位置決め固定する。
【手続補正８】
【補正対象書類名】明細書
【補正対象項目名】００３３
【補正方法】変更
【補正の内容】
【００３３】
さらに、赤透過ダイクロイックミラー５２を透過した赤色光成分は、モールドリレーミラー８１の第１の凹面鏡（ダイクロイック膜）で反射し、対向ミラー８２の凹面鏡で反射し、さらにモールドリレーミラー８１の第３の凹面鏡（ダイクロイック膜）で反射して赤色用液晶パネル１０Ｒを照明する。
【手続補正９】
【補正対象書類名】明細書
【補正対象項目名】００３６
【補正方法】変更
【補正の内容】
【００３６】
また、平面ダイクロイックミラー７２も、その外表面（ダイクロイック膜とは反対側の表面）が筐体外面に露出するように筐体１４に固定される。
【手続補正１０】
【補正対象書類名】明細書
【補正対象項目名】００３７
【補正方法】変更
【補正の内容】
【００３７】
つまり、モールドリレーミラー８１や平面ダイクロイックミラー７２の外側が筐体１４で覆われていないので、これらミラーを筐体で隙間を空けて覆う従来の場合に比べて光学ユニットを小型化することができる。
【手続補正１１】
【補正対象書類名】明細書
【補正対象項目名】００３９
【補正方法】変更
【補正の内容】
【００３９】
なお、平面ダイクロイックミラー７２およびモールドリレーミラー８１を筐体１４の開口部１４１，１４２を塞ぐよう固定することで、平面ダイクロイックミラー７２、モールドリレーミラー８１および筐体１４によって囲まれる空間内に、外部からの光の侵入を遮断した、液晶パネル１０Ｒ，１０Ｇ，１０Ｂの照明系の光路を形成することができる。
【手続補正１２】
【補正対象書類名】明細書
【補正対象項目名】００４１
【補正方法】変更
【補正の内容】
【００４１】
ここで、不透明母材を用いたミラー部材を筐体内部に密封する構成では、ミラー部材にて発生した熱によりミラー部材が温度上昇し、母材とミラー膜（ダイクロイック膜又は偏光分離膜）との密着強度に劣化が生じ、信頼性が低下するおそれがあるが、本実施形態によれば、筐体外周を流れる空気によるモールドリレーミラー８１の冷却効果を容易に得ることができ、信頼性を高めることができる。
【手続補正１３】
【補正対象書類名】明細書
【補正対象項目名】００４４
【補正方法】変更
【補正の内容】
【００４４】
一方、平面ダイクロイックミラー７２については、筐体外面に露出する位置に固定することにより、青色光以外の長波長域の光が、平面ダイクロイックミラー７２の透明ガラス母材および開口部１４１を通って筐体１４外に出射する。このため、光学ユニットとしては、平面ダイクロイックミラー７２における不要光による発熱を抑えることができる。
【手続補正１４】
【補正対象書類名】明細書
【補正対象項目名】００５７
【補正方法】変更
【補正の内容】
【００５７】
また、上記筐体の素子設置部分や反射光学素子の本体部分（素子本体）を高分子材料や金属材料を用いて形成することにより、これら部分の強度を増加させ、反射面の精度を良好にすることができる。特に、高分子材料としてポリカーボネイトやポリカーボネイトを含む複合材料を用いれば、強度と耐熱性の双方を確保することができる。
【手続補正１５】
【補正対象書類名】図面
【補正対象項目名】図２
【補正方法】変更
【補正の内容】
【図２】
2002055389.tif 000001